(57)【要約】      （修正有）【課題】尾びれの工夫によってルアーの姿勢を保つことが可能なルアーを提供する。【解決手段】ジョイント式ルアー１０は、前部ボディ１１と後部ボディ１２とを備えており、後部ボディ１２には第１尾びれ３０を備えている。第１尾びれ３０は、上部で下向きの水圧を受ける第一水受け面３１と、第一水受け面３１の下方で横向きの水圧を受ける第二水受け面３２と、を有している。【選択図】図１
2019103409.tif 000002
【特許請求の範囲】
【請求項１】
ボディと、
前記ボディの後部に備えられた尾びれと、
を備え、
前記尾びれは、上部で下向きの水圧を受ける第一水受け面と、前記第一水受け面の下方で横向きの水圧を受ける第二水受け面と、を有している、
ことを特徴とするルアー。
【請求項２】
前記第一水受け面は、前記尾びれの前後方向に延在しており、
前記第二水受け面は、前記第一水受け面の下方で上下方向に延在している、
請求項１に記載のルアー。
【請求項３】
前記第二水受け面は、前記尾びれの下方まで延在しており、上部と下部との間に前後方向に延在する少なくとも１つの切り込み部を有している、
請求項１又は２に記載のルアー。
【請求項４】
前記第二水受け面は、上部と下部との間に前後方向に延在する複数の前記切り込み部を有し、
前記切り込み部は、上部と下部との中間部分に大きな中央切り込み部を有している、
請求項３に記載のルアー。
【請求項５】
前記尾びれは、ＪＩＳ−Ａ硬度が５０度以下の軟質材料で形成されている、
請求項１〜４のいずれか１項に記載のルアー。
【請求項６】
前記ボディは、前部ボディと後部ボディとで構成され、
前記前部ボディと前記後部ボディとは屈曲自在に連結部で連結され、
前記前部ボディは、前部にラインアイを有し、
前記後部ボディは、後部に前記尾びれを有している、
請求項１〜５のいずれか１項に記載のルアー。
【発明の詳細な説明】
【技術分野】
【０００１】
本発明は、釣りに用いられるルアーに関する。
【背景技術】
【０００２】
ルアーを用いたルアーフィッシングが普及している。ルアーを用いたルアーフィッシングによる捕獲対象は、主として小魚を捕食する大型の魚（以下、「フィッシュイータ」という）である。ルアーは、キャストによって空中を飛行して着水する。ルアーは、着水後に自重で水中に沈降する。ルアーは、リールでラインを巻き取るリトリーブによって所望の水深（レンジ）で泳がされる。フィッシュイータは、このルアーに食いつく。ルアーにはフックが取り付けられている。フィッシュイータは、ルアーに食いついてフックが刺さることで釣り上げることができる。
【０００３】
なお、ルアーには、前部ボディと後部ボディとが左右方向に屈曲自在に連結されたジョイント式ルアーがある。例えば、この種の先行技術として、複数の分割体によってルアー本体が構成されたものがある（例えば、特許文献１参照）。
【先行技術文献】
【特許文献】
【０００４】
【特許文献１】特開２０１３−００９６８７号公報
【発明の概要】
【発明が解決しようとする課題】
【０００５】
ところで、ルアーはリトリーブすることで水圧を受けながら水中を泳ぐ。ルアーには、左右方向に振れながら泳ぐものがある。一方、リトリーブには、急激な引きでルアーを高速で泳がせた後、減速して慣性で泳がせる場合などがある（いわゆる、ストップアンドゴー）。ルアーの速度を減速させると、ルアーは水流に流されやすくなる。また、ジョイント式ルアーの場合には水流でボディが屈曲する。
【０００６】
ルアーは、ボディ全体の重心が、側面視における上下方向中央位置よりも下方に設定されている。このため、ルアーは、ボディに作用する横向きの水圧で横腹（下部側面）が上向きになる方向にローリングしようとする。ルアーは、ローリングを生じるとライン（道糸）がフックに絡みつくことがある。また、ルアーのローリングは、魚の泳ぎに似た泳ぎではないため、フィッシュイータの食い付きが渋る。また、高速リトリーブの場合もボディにローリングを生じる場合がある。このルアーのローリングも、フィッシュイータの食い付きが渋る。
【０００７】
そこで、本発明者はルアーのリトリーブ速度を変化させても姿勢を保つことができる工夫について鋭意研究した。そして、本発明者は尾びれに作用する水圧に着目し、尾びれの工夫によってルアーの姿勢を保つことが可能な発明をした。
【課題を解決するための手段】
【０００８】
本発明に係るルアーは、ボディと、前記ボディの後部に備えられた尾びれと、を備え、前記尾びれは、上部で下向きの水圧を受ける第一水受け面と、前記第一水受け面の下方で横向きの水圧を受ける第二水受け面と、を有している。第二水受け面は、上下方向に延在する尾びれとして機能する部分を含む。
【０００９】
この構成により、リトリーブによって尾びれは第一水受け面で下向きに水圧を受け、第二水受け面で横向きに水圧を受ける。尾びれとして第二水受け面が受ける横向きの水圧に加え、第一水受け面が受ける下向きの水圧により、リトリーブ時にルアーがローリングを生じることを抑えてルアーの姿勢を適切に保つことができる。
【００１０】
また、前記第一水受け面は、前記尾びれの前後方向に延在しており、前記第二水受け面は、前記第一水受け面の下方で上下方向に延在していてもよい。このように構成すれば、尾びれの前後方向に延在する第一水受け面で下向きの水圧を適切に受ける。そして、その下方で上下方向に延在する第二水受け面で横向きの水圧を適切に受ける。これにより、尾びれの上部とその下方で受ける水圧によりボディの姿勢を保つことができる。
【００１１】
また、前記第二水受け面は、前記尾びれの下方まで延在しており、上部と下部との間に前後方向に延在する少なくとも１つの切り込み部を有していてもよい。このように構成すれば、尾びれの下方まで延在する第二水受け面の広い範囲で横向きの水圧を受けるようにできる。第二水受け面の切込み部により、尾びれの上部と下部とで横向きの水圧をそれぞれが受けるようにできる。
【００１２】
また、前記第二水受け面は、上部と下部との間に前後方向に延在する複数の前記切り込み部を有し、前記切り込み部は、上部と下部との中間部分に該第二水受け面の前部まで延在する中央切り込み部を有していてもよい。このように構成すれば、第二水受け面に設けられた複数の切り込み部によって、分かれたそれぞれの第二水受け面で横向きの水圧をそれぞれ受けるようにできる。
【００１３】
また、前記尾びれは、ＪＩＳ−Ａ硬度が５０度以下の軟質材料で形成されていてもよい。このように構成すれば、ルアーを泳がせたときに尾びれが撓んで変形し、尾びれの動作をより魚の尾びれに似た動作にできる。
【００１４】
また、前記ボディは、前部ボディと後部ボディとで構成され、前記前部ボディと前記後部ボディとは屈曲自在に連結部で連結され、前記前部ボディは、前部にラインアイを有し、前記後部ボディは、後部に前記尾びれを有していてもよい。このように構成すれば、ジョイント式ルアーの前部ボディと後部ボディとの屈曲に続いて尾びれが左右方向に振られる。尾びれは、第一水受け面で下向きの水圧を受けながら、第二水受け面で横向きの水圧を受けて左右方向に振られる。これにより、尾びれが受ける水圧でジョイント式ルアーの姿勢を適切に保つことができる。
【発明の効果】
【００１５】
本発明によれば、ルアーのリトリーブ時における泳ぐ姿勢を尾びれが受ける水圧で保つことが可能となる。よって、ルアーをリトリーブする速度を変化させても魚の泳ぐ姿勢を保つことが可能となる。
【図面の簡単な説明】
【００１６】
【図１】図１は、本発明の一実施形態に係るルアーを示す側面図である。
【図２】図２は、図１に示すII−II断面図である。
【図３】図３は、図１に示す第一尾びれの拡大図である。
【図４】図４は、図３に示す第一尾びれの平面図である。
【図５】図５は、図３に示すV−V断面図である。
【図６】図６は、図１に示すルアーを泳がせたときの第一尾びれに作用する水圧を側面から見た模式図である。
【図７】図７は、図１に示すルアーを泳がせたときの第一尾びれに作用する水圧を後方から見た模式図である。
【図８】図８は、本発明に係るルアーの第二尾びれを示す側面図である。
【図９】図９は、図８に示す第二尾びれに作用する力を後方から見た模式図である。
【発明を実施するための形態】
【００１７】
以下、本発明の実施形態を図面に基づいて説明する。以下の実施形態では、ルアーの一例として、小魚の形態を摸したジョイント式ルアー１０（以下、単に「ルアー１０」ともいう）を例に説明する。この明細書及び特許請求の範囲の書類中における前後方向は、頭部方向を前方、尾びれ方向を後方という。また、前後方向と直交する横方向を左右方向という。
【００１８】
（ルアーの構成）
図１及び図２に基づいて、一実施形態に係るルアーの全体構成を説明する。この実施形態のルアーはジョイント式ルアー１０である。ジョイント式ルアー１０は、前部ボディ１１と後部ボディ１２とを備えている。前部ボディ１１の前部には、ラインアイ１３が設けられている。ラインアイ１３にはライン１８が接続されている。前部ボディ１１の下部には、前部フックアイ１４が設けられている。前部フックアイ１４には、スプリットリング２１で前フック２０が取り付けられている。前部フックアイ１４の左右位置には、胸びれ１５が設けられている。前部ボディ１１は、魚の前半分を摸した形態となっている。後部ボディ１２の下部には、後部フックアイ１６が設けられている。後部フックアイ１６には、スプリットリング２３で後フック２２が取り付けられている。後部ボディ１２の上部には、背びれ１７が設けられている。後部ボディ１２は、魚の後半分を摸した形態となっている。
【００１９】
そして、後部ボディ１２の後部には、第一尾びれ３０が設けられている。この実施形態の第一尾びれ３０は、後部ボディ１２に対して下方から着脱自在となっている。後部ボディ１２の後部には、上下方向に延びるガイド溝１９（図３に二点鎖線で示す）が設けられている。第一尾びれ３０は、前端部に設けられた係合部３３（図３）を下方からガイド溝１９に挿入することで後部ボディ１２に取り付けられている。
【００２０】
ジョイント式ルアー１０は、前部ボディ１１に対して後部ボディ１２が左右方向に屈曲自在なように連結部２５で連結されている。この実施形態の連結部２５は、後部ボディ１２の前部に、上下方向に延在する支持軸２６が設けられている。また、前部ボディ１１の後部には、支持軸２６に向けて連結リング２７が設けられている。連結リング２７は、前部ボディ１１の上部と下部に設けられている。連結リング２７は、前部と後部とにリング部を有しており、前部のリング部が前部ボディ１１に設けられた保持軸２８に保持されている。連結リング２７の後部のリング部は、後部ボディ１２に設けられた支持軸２６に掛けられている。連結リング２７で連結された前部ボディ１１と後部ボディ１２とは、支持軸２６を中心に屈曲自在となっている。連結部２５の構成は、一例である。
【００２１】
このようなジョイント式ルアー１０は、ボディ１１，１２の上下方向中央位置よりも下方に重心位置Ｇが設定されている。ルアーは、重心位置Ｇを上下方向中央位置よりも下方とすることで、適切に泳ぐようにしている。
【００２２】
（第一尾びれの構成）
図３〜図５に基づいて、上記第一尾びれ３０について詳細に説明する。第一尾びれ３０は、軟質材料、硬質材料のいずれで形成してもよい。この明細書及び特許請求の範囲の書類中における「軟質材料」は、ＪＩＳ−Ａ硬度が５０度以下のものをいう。「硬質材料」は、ＪＩＳ−Ａ硬度が５１度以上のものをいう。第一尾びれ３０は、軟質材料で形成されている。第一尾びれ３０は、例えば、ポリ塩化ビニル、シリコンゴム、熱可塑性エラストマーなどの可撓性材料で製作することができる。軟質材料は、水圧で撓む樹脂材料、ゴム材料を含む。
【００２３】
図３に示すように、第一尾びれ３０は、側面視が魚の尾びれを摸した形状となっている。図４に示すように、第一尾びれ３０は、上部に第一水受け面３１が備えられている。第一水受け面３１は、第一尾びれ３０の前部から後部まで延在している。第一水受け面３１は、左右方向に所定の幅寸法Ｗ１を有している。第一水受け面３１の幅寸法Ｗ１は、下向きに作用させる水圧に応じて設定される。幅寸法Ｗ１は、ルアー１０の大きさなどに応じて決定すればよい。例えば、ルアー１０の前後方向の寸法が１５０ｍｍ〜１００ｍｍ程度の場合、第一水受け面３１の幅寸法Ｗ１を、１５ｍｍ〜４ｍｍ程度とすることができる。
【００２４】
第一水受け面３１の下方には、第二水受け面３２が備えられている。第二水受け面３２は、上下方向に延在している。第一尾びれ３０は、下端まで第二水受け面３２となっている。第二水受け面３２は、第一尾びれ３０として機能する厚み（幅寸法）で形成される。第二水受け面３２の幅寸法Ｗ２は、第一水受け面３１の幅寸法Ｗ１よりも小さい、Ｗ１＞Ｗ２の関係とすることができる。
【００２５】
第一尾びれ３０の前部には、後部ボディ１２のガイド溝１９に挿入する係合部３３が設けられている。係合部３３は、第一尾びれ３０の前端に設けられた連結部３４で連結されている。係合部３３及び連結部３４は、軟質材料、硬質材料のいずれでもよい。
【００２６】
図３及び図５に示すように、第二水受け面３２には、上部と下部の間に前後方向に延びる複数の切り込み部３５，３６が設けられている。この実施形態では、第二水受け面３２の上部と下部との中間部分に、第二水受け面３２の前部まで延在する中央切り込み部３５が設けられている。中央切り込み部３５は、第二水受け面３２を上方と下方とに分離している。第二水受け面３２は、中央切り込み部３５により、上方と下方でそれぞれの動きに位相差を生じさせることができる。中央切り込み部３５の上方と下方には、所定間隔で複数の小さな切り込み部３６が設けられている。小さな切り込み部３６を設けることで、第二水受け面３２の各部が左右方向に柔軟に振られるようにしている。
【００２７】
第一尾びれ３０は、第一水受け面３１と第二水受け面３２とを一体成形することができる。第一尾びれ３０の硬度を、例えば、ＪＩＳ−Ａ硬度で４０度以下とすることで、ルアー１０が泳ぐときに第二水受け面３２が左右方向へ柔軟に振られるようにできる。第二水受け面３２が柔軟に振られる動きとしては、いわゆる魚の尾びれのように上方から下方に掛けて捻れたような動きを含む。
【００２８】
従って、第一尾びれ３０によれば、第一水受け面３１で下向きに水圧を受けた状態で、第二水受け面３２が左右方向に振られるようにできる。よって、第一尾びれ３０に、魚の尾びれのように柔軟に左右方向に振る動きに似せた動きをさせることができる。
【００２９】
（第一尾びれに作用する水圧と作用）
図６及び図７に基づいて、ルアー１０（図１）を泳がせたときに第一尾びれ３０に作用する水圧とその作用について説明する。図６では、紙面の左方向から右方向に水流Ｐを受けている。図７では、紙面に直交する方向から水流Ｐを受けている。図７の第一尾びれ３０は断面で示している。図６に示すように、ルアー１０は、ラインアイ１３に接続されたライン１８を巻き取ることでリトリーブされる（図１の左方向に泳がされる）。ルアー１０は、リトリーブによって前部ボディ１１に対して後部ボディ１２が左右方向に屈曲アクションを起こす。そして、この後部ボディ１２の屈曲アクションに続いて尾びれ３０が左右方向に振られる。左右方向に振られる尾びれ３０は、前方からの水流Ｐを受ける。これにより、第一尾びれ３０は、第一水受け面３１で下向きに水圧Ｆ１を受ける。また、図７に示すように、第一尾びれ３０は、リトリーブされて左右方向に振られるので、第二水受け面３２で横向きに水圧Ｆ２を受ける。
【００３０】
一方、ルアー１０のリトリーブ速度が減速されると、直進方向の力が弱くなって横向きの力の影響が強くなる。ボディ１１，１２は重心位置Ｇが上下方向中央位置よりも下方に設定されている。このため、ボディ１１，１２には、横向きに振られる力Ｆ３の反力によって上部が横向きにローリングしようとする力Ｍ１を生じる。
【００３１】
しかし、第一尾びれ３０によれば、第一水受け面３１で下向きに水圧Ｆ１を受けながら第二水受け面３２で横向きに水圧Ｆ２を受ける。そして、第二水受け面３２が受ける横向きの水圧Ｆ２によって、ボディ１１，１２の上部が横向きにローリングしようとする力Ｍ１と反対方向にボディ１１，１２の下部をローリングさせようとする力Ｍ２を発生させる。この第一尾びれ３０の第二水受け面３２によって生じる力Ｍ２により、ボディ１１，１２が横向きにローリングしようとする力Ｍ１を打ち消すことができる。よって、ボディ１１，１２がローリングすることを抑止できる。
【００３２】
以上のように、第一尾びれ３０によれば、第一水受け面３１に作用する下向きの水圧Ｆ１と、第二水受け面３２に作用する横向きの水圧Ｆ２とで、ルアー１０のリトリーブ時における姿勢を安定して保つことができる。よって、第一尾びれ３０を備えたルアー１０によれば、リトリーブの速度を変化させたとしても、第一尾びれ３０が受ける水圧で泳ぎの姿勢を安定して保つことができる。また、ルアー１０をリトリーブするライン１８がフック２０，２２に絡みつきにくくなる。
【００３３】
しかも、第一尾びれ３０によれば、第二水受け面３２が下方まで延在している。これにより、第二水受け面３２の下部の広い面で横向きの水圧Ｆ２を受けて、大きな力Ｍ２を得ることができる。よって、ルアーのリトリーブ速度を減速したとしても尾びれが受ける水圧でルアーの姿勢を適切に保つことができる。その上、第二水受け面は、大きな中央切り込み部の上方と下方とでそれぞれ受ける横向きの水圧でバランスよく撓んで、尾びれの動作をより魚の尾びれの動作に似せることができる。
【００３４】
従って、第一尾びれ３０を備えたルアー１０によれば、フィッシュイータの食い付きを促すことができる。
【００３５】
（第二尾びれの構成）
図８及び図９に基づいて、第二尾びれ５０について説明する。図９の第二尾びれ５０は断面で示している。ジョイント式ルアー１０の全体構成は図１と同一であるため、同一の構成には同一の符号を付して、その説明は省略する。第二尾びれ５０も、第一水受け面５１と第二水受け面５２とを備えている。第二尾びれ５０は、第二水受け面５２の下部が切除された例である。第二尾びれ５０は、例えば、尾びれの下部がフィッシュイータに食いちぎられた場合などの形態である。第二尾びれ５０は、第二水受け面５２の下部以外は上記第一尾びれ３０と同一である。
【００３６】
図８に示すように、第二尾びれ５０は、第二水受け面５２の下部に斜めの切除部５７がある。この例の切除部５７は、第二水受け面５２の上部と下部の中間位置に設けられた中央切り込み部５５の位置から、斜め前方に向けて切除されたものとなっている。第二水受け面５２は、下部に設けられた小さな切り込み部５６も切除されている。
【００３７】
第二尾びれ５０も、前部に後部ボディ１２のガイド溝１９に挿入する係合部５３が設けられている。係合部５３は、第二尾びれ５０の前端に設けられた連結部５４で連結されている。係合部５３及び連結部５４は、軟質材料、硬質材料のいずれでもよい。
【００３８】
（第二尾びれに作用する水圧と作用）
図８に示すように、第二尾びれ５０は、リトリーブによって前方からの水流Ｐを受ける。これにより、第二尾びれ５０は、第一水受け面５１で下向きに水圧Ｆ１を受ける。また、図９に示すように、第二尾びれ５０は、リトリーブされて左右方向に振られるので、第二水受け面５２で横向きに水圧Ｆ２を受ける。第二尾びれ５０も、上部の第一水受け面５１において下向きの水圧Ｆ１を受け、第二水受け面５２において横向きの水圧Ｆ２を受ける。
【００３９】
一方、ルアー１０のリトリーブ速度が減速されると、直進方向の力が弱くなって横向きの力の影響が強くなる。ボディ１１，１２の重心位置Ｇが上下方向中央位置よりも下方に設定されている。このため、ボディ１１，１２には、横向きに振られる力Ｆ３の反力によって上部が横向きにローリングしようとする力Ｍ１を生じる。
【００４０】
しかし、第二尾びれ５０によれば、第一水受け面５１で下向きに水圧Ｆ１を受けながら第二水受け面５２で横向きの水圧Ｆ２を受ける。そして、第二水受け面５２が受ける横向きの水圧Ｆ２によって、ボディ１１，１２の上部が横向きにローリングしようとする力Ｍ１と反対方向にボディ１１，１２の下部をローリングさせようとする力Ｍ２を発生させる。この第二尾びれ５０の第二水受け面５２によって生じる力Ｍ２により、ボディ１１，１２が横向きにローリングしようとする力Ｍ１を打ち消すことができる。よって、ボディ１１，１２がローリングすることを抑止できる。
【００４１】
以上のように、第二尾びれ５０でも、第一水受け面５１に作用する下向きの水圧Ｆ１と、第二水受け面５２に作用する横向きの水圧Ｆ２とで、ルアー１０のリトリーブ時における姿勢を安定して保つことができる。よって、第二尾びれ５０を備えたルアー１０によれば、リトリーブの速度を変化させたとしても、第二尾びれ５０が受ける水圧で泳ぎの姿勢を安定して保つことができる。また、ルアー１０をリトリーブするライン１８がフック２０，２２に絡みつきにくくなる。
【００４２】
従って、第二尾びれ５０を備えたルアー１０によれば、フィッシュイータの食い付きを促すことができる。
【００４３】
なお、上記した実施形態は一例を示しており、ルアー１０の型式、構造、尾びれ３０，５０の形状などは一例である。本発明は、要旨を損なわない範囲で種々の構成を変更することは可能であり、上記した実施形態に限定されるものではない。
【符号の説明】
【００４４】
１０  ジョイント式ルアー（ルアー）
１１  前部ボディ
１２  後部ボディ
１９  ガイド溝
２５  連結部
３０  第一尾びれ
３１  第一水受け面
３２  第二水受け面
３５  中央切り込み部
３６  切り込み部
５０  第二尾びれ
５１  第一水受け面
５２  第二水受け面
５５  中央切り込み部
５６  切り込み部
５７  切除部
Ｇ  重心位置
Ｐ  水流
Ｆ１、Ｆ２  水圧
Ｍ１、Ｍ２  力
Ｗ１、Ｗ２  幅寸法
【図１】
2019103409.tif 000003
【図２】
2019103409.tif 000004
【図３】
2019103409.tif 000005
【図４】
2019103409.tif 000006
【図５】
2019103409.tif 000007
【図６】
2019103409.tif 000008
【図７】
2019103409.tif 000009
【図８】
2019103409.tif 000010
【図９】
2019103409.tif 000011